(57)【特許請求の範囲】
【請求項１】
建物の壁面に固定される取付部材と、前記取付部材を介して前記壁面から水平方向に突出するように取り付けられる庇体と、を備えた建物用庇であって、
前記庇体は、複数の中空の庇材を連設して構成したものであり、
前記複数の庇材の少なくとも１つの庇材は、上面に設けられた太陽電池パネルと、前記太陽電池パネルによって発電した電力を蓄電するためのバッテリーと、前記バッテリーに蓄電した電力で発光する照明器具と、を備えた中空の照明付庇材であり、
前記中空の照明付庇材の上面には前記太陽電池パネルが固定され、前記中空の照明付庇材の下面には前記照明器具が嵌め込み固定され、前記中空の照明付庇材の内部には前記バッテリーが設けられて前記太陽電池パネル及び前記照明器具と接続されていることを特徴とする、建物用庇。
【請求項２】
前記取付部材は長手方向に延設された係止溝を備えており、
前記複数の庇材は、前記係止溝に沿って連設されるとともに、前記係止溝に頭を係合させたボルトと該ボルトに螺合するナットとによって挟持されることを特徴とする、請求項１記載の建物用庇。
【請求項３】
前記照明器具は人感センサまたは明暗センサの少なくともいずれかを備え、前記センサの検知状態に従って前記照明器具の点灯と消灯とを切り替えることを特徴とする、請求項１又は２記載の建物用庇。
【請求項４】
前記照明器具の発光源はＬＥＤであることを特徴とする、請求項１〜３のいずれかに記載の建物用庇。
【発明の詳細な説明】
【技術分野】
【０００１】
この発明は、建物用庇に関し、特に、照明器具を備えた建物用庇に関するものである。
【背景技術】
【０００２】
従来、庇内部の空洞を利用し照明具を内蔵した建物用庇が知られている。
【０００３】
例えば、特許文献１には、照明器具からリード線を建物内部に引きこみ、照明器具に電力を供給するようにした照明具付き庇の発明が記載されている。
【０００４】
また、特許文献２には、庇本体の後板部に形成された開口部内に、建物の庇固定板に形成された開口部内に配置されているコンセントタイプの接続端子と電気的に接続されるプラグタイプの接続端子が配置され、この庇側の接続端子が照明器具と電気的に接続されている照明器具付き庇の発明が記載されている。
【先行技術文献】
【特許文献】
【０００５】
【特許文献１】実公昭５２−５８５８号公報
【特許文献２】特開２０００−２７３５０号公報
【発明の概要】
【発明が解決しようとする課題】
【０００６】
しかし、上記した従来の建物用庇では、庇側接続線と建物側の線を接続する必要があるため、それに伴う電気工事が発生し、手間やコストが掛かるという問題があった。特に、工事などでは建物内への引き込み工事、外壁面への引出し工事が発生し、非常に手間とコストが掛かるという問題があった。
【０００７】
そこで、本発明は、面倒な電気工事を行う必要がなく、金属工事の施工業者にも施工可能な照明器具を備えた建物用庇を提供することを課題とする。
【課題を解決するための手段】
【０００８】
本発明は、上記した課題を解決するためになされたものであり、以下を特徴とする。
【０００９】
（請求項１）
請求項１に記載の発明は、以下の点を特徴とする。
【００１０】
すなわち、請求項１に記載の建物用庇は、建物の壁面に固定される取付部材と、前記取付部材を介して前記壁面から水平方向に突出するように取り付けられる庇体と、を備えた建物用庇であって、前記庇体は、複数の中空の庇材を連設して構成したものであり、前記複数の庇材の少なくとも１つの庇材は、上面に設けられた太陽電池パネルと、前記太陽電池パネルによって発電した電力を蓄電するためのバッテリーと、前記バッテリーに蓄電した電力で発光する照明器具と、を備えた中空の照明付庇材であり、前記中空の照明付庇材の上面には前記太陽電池パネルが固定され、前記中空の照明付庇材の下面には前記照明器具が嵌め込み固定され、前記中空の照明付庇材の内部には前記バッテリーが設けられて前記太陽電池パネル及び前記照明器具と接続されていることを特徴とする。
【００１１】
（請求項２）
請求項２に記載の発明は、上記した請求項１記載の発明の特徴点に加え、以下の点を特徴とする。
【００１２】
すなわち、前記取付部材は長手方向に延設された係止溝を備えており、前記複数の庇材は、前記係止溝に沿って連設されるとともに、前記係止溝に頭を係合させたボルトと該ボルトに螺合するナットとによって挟持されることを特徴とする。
【００１３】
（請求項３）
請求項３に記載の発明は、上記した請求項１又は２記載の発明の特徴点に加え、以下の点を特徴とする。
【００１４】
すなわち、前記照明器具は人感センサまたは明暗センサの少なくともいずれかを備え、前記センサの検知状態に従って前記照明器具の点灯と消灯とを切り替えることを特徴とする。
【００１５】
（請求項４）
請求項４に記載の発明は、上記した請求項１〜３のいずれかに記載の発明の特徴点に加え、以下の点を特徴とする。
【００１６】
すなわち、前記照明器具の発光源はＬＥＤであることを特徴とする。
【発明の効果】
【００１７】
請求項１に記載の発明は上記の通りであり、前記庇体は、複数の中空の庇材を連設して構成したものであり、前記複数の庇材の少なくとも１つの庇材は、上面に設けられた太陽電池パネルと、前記太陽電池パネルによって発電した電力を蓄電するためのバッテリーと、前記バッテリーに蓄電した電力で発光する照明器具と、を備えた照明付庇材である。このため、中空の庇材を連設することで簡単、迅速に庇が形成でき、また、中空の庇材に太陽電池、バッテリー、照明器具が内蔵されているので、面倒な電気工事を行う必要がなく、金属工事の施工業者にも施工可能である。また、太陽電池で発電した電力をバッテリーに蓄電し、その電力を照明器具に供給するので、外部電源に頼ることがないので経済的である。
【００１８】
また、照明付庇材を含む庇材を連設して庇体を構成しているため、施工場所ごとに庇体を用意しなくても、連設する庇材の数を調整することで任意の大きさの庇体を構成することができ、また、照明付庇材を設ける位置を調整することで任意の位置に照明を設けることができる。
【００１９】
また、既に施工済みの庇に照明器具を取り付ける場合には、照明器具を内蔵していない庇材を照明付庇材に交換すれば、容易に照明器具を取り付けることができる。このため、取付穴加工や電気工事が発生せず、手間やコストを最小限として照明器具を取り付けることができる。
【００２０】
また、請求項２に記載の発明は上記の通りであり、前記取付部材は長手方向に延設された係止溝を備えており、前記複数の庇材は、前記係止溝に沿って連設されるとともに、前記係止溝に頭を係合させたボルトと該ボルトに螺合するナットとによって挟持される。このため、上記操作を繰り返すことで、簡単・迅速に建物用庇が形成できるとともに、現場での加工不要で照明付庇材を含む庇材を取り付けることができ、照明付庇材を設ける位置を調整することで、容易に照明の位置を調整することができる。
【００２１】
また、請求項３に記載の発明は上記の通りであり、前記照明器具は人感センサまたは明暗センサの少なくともいずれかを備え、前記センサの検知状態に従って前記照明器具の点灯と消灯とを切り替える。すなわち、照明器具の点灯・消灯を手動スイッチではなくセンサによって行うことで、照明器具からリード線を建物内部に引きこむ必要がなく、照明に必要なすべての装置を照明付庇材に内蔵することができるので、面倒な電気工事を行う必要がなく、金属工事の施工業者にも施工可能である。また、照明の不要時に照明器具を自動的に消灯することができるので、照明点灯に無駄がなく、節電の効果を発揮する。
【００２２】
また、請求項４に記載の発明は上記の通りであり、前記照明器具の発光源はＬＥＤであるため、消費電力が少なく、また、電球の寿命も長いため経済的である。
【図面の簡単な説明】
【００２３】
【図１】建物用庇を上方から見た外観斜視図である。
【図２】建物用庇を下方から見た外観斜視図である。
【図３】建物用庇の分解斜視図である。
【図４】建物用庇の取付部材付近を示す一部拡大断面図である。
【図５】照明付庇材の一部拡大平面図である。
【図６】照明付庇材の一部拡大底面図である。
【図７】照明付庇材の断面図である。
【図８】庇体の照明器具付近を示す図である。
【図９】照明器具の分解図である。
【図１０】庇材を接合して庇体を形成する様子を示す図であって、（ａ）庇材を接合した後の状態を示す図、（ｂ）庇材を接合する前の状態を示す図である。
【図１１】庇材の装着部及び受部の拡大図である。
【図１２】建物用庇の化粧カバー付近を示す一部拡大断面図である。
【発明を実施するための形態】
【００２４】
本発明の実施形態について、図を参照しながら説明する。
【００２５】
本実施形態に係る建物用庇１０は、図１及び図２に示すように、建物躯体１００の壁面に固定される取付部材１１と、前記取付部材１１を介して前記壁面から水平方向に突出するように取り付けられる庇体２０と、庇体２０の基端部の上側に取り付けられる水切カバー４０と、庇体２０の先端部に取り付けられる化粧カバー４１と、を備えている。このうち、庇体２０は、図３に示すように、複数の中空の庇材２１を連設して構成されている。
【００２６】
この建物用庇１０を構成する庇材２１、取付部材１１、水切カバー４０、化粧カバー４１は、アルミニウム等の金属材料による成形したものが使用される。なお、これらの部材は金属材料で成形したものに限らず、合成樹脂等の材料で成形したものを使用してもよい。
【００２７】
中空の庇材２１は、図３に示す通り、一方の側面に受部２１ａを設けるとともに、他方の側面に装着部２１ｂを設けることで、隣接する庇材２１と互いに接合できるように形成されている。すなわち、受部２１ａと装着部２１ｂとは互いに係合するように構成されているので、受部２１ａと装着部２１ｂとを係合させることで隣り合う庇材２１と庇材２１とが接合されて、所要数を接合することで庇体２０を構成できるようになっている。なお、庇体２０の両側端に配置される庇材２１については、その開放端側に受部２１ａ及び装着部２１ｂを設ける必要がないので、開放端側部に受部２１ａ及び装着部２１ｂのいずれをも設けずに平坦に形成している。
【００２８】
取付部材１１は、図３に示すように、建物躯体１００に固定する縦片１１ａと、庇体２０の基端部を支持させる横片１１ｂと、でＬ形をなして構成されている。なお、縦片１１ａにはアンカーボルト１２を貫通させるための孔が所定間隔で設けられている。取付部材１１は、この孔に貫通させたアンカーボルト１２を介して建物躯体１００に取り付けられる。また、横片１１ｂの中央部には、図４に示すように、長手方向全長に渡って係止溝１１ｄが延設されている。また、この係止溝１１ｄの縁部には、庇材２１の基端を当接させて長手方向の位置決めをさせるための揃え片１１ｅが形成されている。また、横片１１ｂの前端には、揃え片１１ｅと同じ高さで庇材２１を支持する受片１１ｃが設けられている。
【００２９】
上記中空の庇材２１は、図４に示すように、取付部材１１の係止溝１１ｄに沿って連設され、ボルト１３を介して取付部材１１に取り付けられる。このボルト１３は、ボルト頭１３ａを係止溝１１ｄへ係合させることで取付部材１１に支持されている。庇材２１を取付部材１１に取り付ける際には、取付部材１１に支持されたボルト１３を庇材２１の孔に貫通させ、貫通したボルト１３の上端部にナット１４を仮締めする。その後、庇材２１とボルト１３とを係止溝１１ｄに沿ってスライドさせる。このときに、該庇材２１の装着部２１ｂ（または受部２１ａ）を、隣接する庇材２１の受部２１ａ（または装着部２１ｂ）と係合させ、隣接する庇材２１に接合する。その後、ナット１４を本締めすれば、ボルト頭１３ａの係止溝１１ｄへの圧着とナット１４とボルト頭１３ａとによる挟持で、庇材２１が動かないように取付部材１１へと固定される。なお、中空の庇材２１に予めボルト１３を貫通させておき、後でボルト頭１３ａを係止溝１１ｄへと係合させるような取付方法を採用してもよい。
【００３０】
図１０は、庇材２１を接合して庇体２０を形成する様子を示す図である。この図１０が示すように、水平方向に並べた庇材２１を水平方向にスライドさせることで、隣り合う装着部２１ｂと受部２１ａとが接合され、これによって複数の庇材２１が連設されて庇体２０が形成されるようになっている。詳しくは、図１１に示すように、一方の庇材２１の受部２１ａに対して、他方の庇材２１の装着部２１ｂが嵌り込むことで、２つの庇材２１が互いに嵌合するように形成されている。
【００３１】
このように取付部材１１の横片１１ｂにすべての庇材２１を取り付けて庇体２０が形成された後、この庇体２０の基端部の上側には、図１に示すように、水切カバー４０が取り付けられる。この水切カバー４０は、取付部材１１と同じ長さに設けられ、取付部材１１の上部を全長に渡って覆うように配置される。
【００３２】
また、図１２に示すように、庇体２０の先端側には、化粧カバー４１が取り付けられる。この化粧カバー４１は、庇体２０の先端部を全長に渡って覆うように配置される。本実施形態においては、この化粧カバー４１が雨樋４１ａを兼ねているため、庇体２０の先端から雨水等が垂れないように形成されている。
【００３３】
なお、本実施形態においては、図１に示すように、庇体２０を吊りアーム４２で吊るすことで、庇体２０が建物躯体１００から大きく張り出している場合でも安定的に建物用庇１０を固定できるようにしている。この吊りアーム４２は、一端が建物躯体１００へ回動可能に取り付けられ、他端が庇体２０に回動可能に取り付けられている。
【００３４】
また、吊りアーム４２を設けない場合には、Ｌ字金具等で固定することで庇体２０を支持することも可能である。庇体２０が小さい場合などであれば、吊りアーム４２やＬ字金具等を設けずに取付部材１１のみで庇体２０を支持してもよい。
【００３５】
ところで、本実施形態においては、上記した庇材２１のうちの１つの庇材２１が照明付庇材２２となっている。この照明付庇材２２は、上面に設けられた太陽電池パネル２３と、前記太陽電池パネル２３によって発電した電力を蓄電するためのバッテリー２４と、前記バッテリー２４に蓄電した電力で発光する照明器具２５と、を備えている。
【００３６】
照明付庇材２２の上面には、図５に示すように太陽電池パネル２３が固定されており、図１に示すように、建物用庇１０の設置後において屋根面１０ａに太陽電池パネル２３が露出するようになっている。また、照明付庇材２２の下面には、図６に示すように照明器具２５が嵌め込み固定されており、図２に示すように、建物用庇１０の設置後において建物用庇１０の天井面１０ｂに照明器具２５が露出するようになっている。
【００３７】
図７は、照明付庇材２２の断面図である。この図７が示すように、太陽電池パネル２３は照明付庇材２２の上面にネジによって固定されている。
【００３８】
また、中空の照明付庇材２２の内部にはバッテリー２４が設けられており、特に図示しないが、太陽電池パネル２３及び照明器具２５と接続されている。
【００３９】
また、照明器具２５は、照明器具本体３５と樹脂カバー３１とを備えており、照明器具本体３５が照明付庇材２２にビス３２で固定されるとともに、その外側から樹脂カバー３１がねじ込まれて照明器具本体３５に螺合して固定されるようになっている。
【００４０】
照明器具本体３５は、フランジ部３６ａを有する円筒状のケース体３６に円板状の基板等を取り付けたものであり、照明の点灯・消灯を制御するメイン基板２６と、メイン基板２６からの信号に応じて点灯する複数のＬＥＤ２８が配設されたＬＥＤ基板２７と、ＬＥＤ基板２７の前面に設けられてＬＥＤ光線を拡散させるためのレンズ３０と、を備えている。
【００４１】
ＬＥＤ基板２７の中央には、赤外線センサなどによって構成されて人間の所在を検知可能な人感センサ２９が設けられている。
【００４２】
本実施形態においては、人感センサ２９が人間がいることを検知すると、その検知信号がメイン基板２６に出力され、メイン基板２６はＬＥＤ基板２７に制御信号を出力する。この制御信号は、予め定められた所定の時間が経過するまで継続して出力される。ＬＥＤ基板２７は、メイン基板２６からの制御信号を受信している間はＬＥＤ２８を点灯させる。その後、人感センサ２９からの検知信号が途絶えると、メイン基板２６はＬＥＤ基板２７への制御信号の出力を中止し、これに伴い、ＬＥＤ基板２７はＬＥＤ２８を消灯する。このような制御により、人間がいる場合にのみ一定時間照明が点灯するように構成されている。
【００４３】
樹脂カバー３１は、図８に示すように、中央に開口を有しており、照明器具本体３５のレンズ３０及び人感センサ２９が露出するように照明器具本体３５に取り付けられる。このため、ＬＥＤ２８の光が樹脂カバー３１に遮られたり、人感センサ２９の赤外線光線などが樹脂カバー３１に遮られたりすることはない。
【００４４】
照明器具２５を照明付庇材２２から取り外す場合には、図９に示すように、まず樹脂カバー３１を回転させて照明器具本体３５から取り外す。そして、照明器具本体３５のフランジ部３６ａに設けられたビス孔を貫通して照明付庇材２２に螺合しているビス３２を取り外す。これにより照明器具本体３５を照明付庇材２２から取り外すことができる。なお、特に図示しないが、照明器具本体３５の電源コード３３は照明付庇材２２の内部でバッテリー２４に接続されているため、照明器具本体３５を交換する際には、この電源コード３３とバッテリー２４との接続を解除する必要がある。
【００４５】
同様に、太陽電池パネル２３を照明付庇材２２から取り外す場合には、太陽電池パネル２３を照明付庇材２２に固定しているネジを取り外し、太陽電池パネル２３の接続コードをバッテリー２４から取り外せばよい。
【００４６】
以上説明したように、本実施形態によれば、庇体２０は、複数の中空の庇材２１を連設して構成したものであり、前記複数の庇材２１の少なくとも１つの庇材２１は、上面に設けられた太陽電池パネル２３と、前記太陽電池パネル２３によって発電した電力を蓄電するためのバッテリー２４と、前記バッテリー２４に蓄電した電力で発光する照明器具２５と、を備えた照明付庇材２２である。このため、中空の庇材２１を連設することで簡単、迅速に庇が形成でき、また、中空の庇材２１に太陽電池パネル２３、バッテリー２４、照明器具２５が内蔵されているので、面倒な電気工事を行う必要がなく、金属工事の施工業者にも施工可能である。また、太陽電池パネル２３で発電した電力をバッテリー２４に蓄電し、その電力を照明器具２５に供給するので、外部電源に頼ることがないので経済的である。
【００４７】
また、照明付庇材２２を含む庇材２１を連設して庇体２０を構成しているため、施工場所ごとに庇体２０を用意しなくても、連設する庇材２１の数を調整することで任意の大きさの庇体２０を設けることができ、また、照明付庇材２２を設ける位置を調整することで任意の位置に照明を設けることができる。
【００４８】
また、既に施工済みの庇に照明器具２５を取り付ける場合には、照明器具２５を内蔵していない庇材２１を照明付庇材２２に交換すれば、容易に照明器具２５を取り付けることができる。このため、取付穴加工や電気工事が発生せず、手間やコストを最小限として照明器具２５を取り付けることができる。
【００４９】
また、取付部材１１は長手方向に延設された係止溝１１ｄを備えており、前記複数の庇材２１は、前記係止溝１１ｄに沿って連設されるとともに、前記係止溝１１ｄにボルト頭１３ａを係合させたボルト１３と該ボルト１３に螺合するナット１４とによって挟持される。このため、上記操作を繰り返すことで、簡単・迅速に建物用庇が形成できるとともに、現場での加工不要で照明付庇材２２を含む庇材２１を取り付けることができ、照明付庇材２２を設ける位置を調整することで、容易に照明の位置を調整することができる。
【００５０】
また、前記照明器具２５は人感センサ２９を備え、この人感センサ２９の検知状態に従って前記照明器具２５の点灯と消灯とを切り替える。すなわち、照明器具２５の点灯・消灯を手動スイッチではなく人感センサ２９によって行うことで、照明器具２５からリード線を建物内部に引きこむ必要がなく、照明に必要なすべての装置を照明付庇材２２にパッケージすることができるので、面倒な電気工事を行う必要がなく、金属工事の施工業者にも施工可能である。また、照明の不要時に照明器具２５を自動的に消灯にすることができるので、照明点灯に無駄がなく、節電の効果を発揮する。
【００５１】
また、前記照明器具２５の発光源はＬＥＤ２８であるため、消費電力が少なく、また、電球の寿命も長いため経済的である。
【００５２】
なお、上記した実施形態においては、人感センサ２９の検知状態に従って前記照明器具２５の点灯と消灯とを切り替えるように構成したが、これに限らない。例えば、人感センサ２９に代えて、または、人感センサ２９に加えて、周囲の明るさを検知する明暗センサを設け、この明暗センサの検知状態に従って前記照明器具２５の点灯と消灯とを切り替えるように構成してもよい。すなわち、明暗センサが周囲の明るさが所定の閾値に満たないことを検知すると、その検知信号がメイン基板２６に出力され、メイン基板２６はＬＥＤ基板２７に制御信号を出力する。ＬＥＤ基板２７は、メイン基板２６からの制御信号を受信している間はＬＥＤ２８を点灯させる。その後、明暗センサからの検知信号が途絶えると、メイン基板２６はＬＥＤ基板２７への制御信号の出力を中止し、これに伴い、ＬＥＤ基板２７はＬＥＤ２８を消灯するようにしてもよい。そのほかにも、リモコン等の手動スイッチによって前記照明器具２５の点灯と消灯とを切り替えるように構成してもよい。
【００５３】
なお、人感センサ２９に加えて明暗センサを設けた場合、メイン基板２６は、いずれかのセンサから検知信号を受信した場合に照明器具２５を点灯させるように制御すればよい。
【００５４】
また、上記した実施形態においては、照明付庇材２２を１つ設ける例について説明したが、２つ以上の照明付庇材２２を設けてもよい。
【符号の説明】
【００５５】
１０  建物用庇
１０ａ  屋根面
１０ｂ  天井面
１１  取付部材
１１ａ  縦片
１１ｂ  横片
１１ｃ  受片
１１ｄ  係止溝
１１ｅ  揃え片
１２  アンカーボルト
１３  ボルト
１３ａ  ボルト頭
１４  ナット
２０  庇体
２１  庇材
２１ａ  受部
２１ｂ  装着部
２２  照明付庇材
２３  太陽電池パネル
２４  バッテリー
２５  照明器具
２６  メイン基板
２７  ＬＥＤ基板
２８  ＬＥＤ
２９  人感センサ
３０  レンズ
３１  樹脂カバー
３２  ビス
３３  電源コード
３５  照明器具本体
３６  ケース体
３６ａ  フランジ部
４０  水切カバー
４１  化粧カバー
４１ａ  雨樋
４２  吊りアーム
１００  建物躯体
【図１】
0005718758.tif 000002
【図２】
0005718758.tif 000003
【図３】
0005718758.tif 000004
【図４】
0005718758.tif 000005
【図５】
0005718758.tif 000006
【図６】
0005718758.tif 000007
【図７】
0005718758.tif 000008
【図８】
0005718758.tif 000009
【図９】
0005718758.tif 000010
【図１０】
0005718758.tif 000011
【図１１】
0005718758.tif 000012
【図１２】
0005718758.tif 000013